(57)【特許請求の範囲】
【請求項１】
天板と、
該天板の下方に固定された支持部材を介して、該天板を水平な使用位置と略鉛直な収納位置との間で水平な軸を中心として回動可能に支持する脚部と、
からなるテーブルにおいて、
前記天板を、前記使用位置または収納位置にて固定するためのロック装置であって、
前記脚部に設けられ、前記天板が前記使用位置または収納位置にあるときに前記天板または支持部材に当接し、該天板を該使用位置または収納位置に位置決めする位置決め手段と、
前記支持部材に前記天板の回動軸と平行な軸を中心として回動可能に設けられ、前記天板が前記位置決め手段にて位置決めされた位置にあるときに、前記脚部の上端に設けられた受け部に係合可能に構成されたロック部材と、
該ロック部材を前記受け部に当接させる方向に付勢して、前記ロック部材と受け部とを係合させる付勢部材と、
前記付勢部材の付勢力に抗して前記ロック部材を回転させ、該ロック部材と受け部との係合を解除するための操作レバーと、
からなり、
前記ロック部材の前記受け部と係合する係合面は円弧状に形成されており、
前記受け部の前記ロック部材の係合面に係合される被係合面は、前記ロック部材が係合位置にあるときの前記円弧状の係合面の中心軸上の１点と、該係合面と、を結ぶ該係合面に対して垂直な線分上を通り、且つ、該係合面の中心軸と平行な軸を中心軸とする円弧状に形成され、
前記係合面は、前記操作レバーによる回転に伴い、該係合面が前記被係合面と離間する方向に移動しつつ回転するように前記ロック部材の回動軸からずれた軸を中心軸として円弧状に形成されたことを特徴とするロック装置。
【請求項２】
前記被係合面は、前記係合面と同径の円弧状に形成されたことを特徴とする請求項１に記載のロック装置。
【請求項３】
前記受け部には、前記操作レバーが操作されない状態で前記天板が回動された際に、前記ロック部材の一部が当接して摺動可能な当接面が形成されたことを特徴とする請求項１または請求項２に記載のロック装置。
【請求項４】
前記ロック部材には前記天板が使用位置にあるときに前記受け部と係合する第１係合面及び前記天板が収納位置にあるときに前記受け部と係合する第２係合面の２つの前記係合面が形成されており、
前記受け部には、前記ロック部材の第１係合面または第２係合面と夫々係合される第１被係合面及び第２被係合面の２つの前記被係合面が形成されたことを特徴とする請求項１〜請求項３の何れかに記載のロック装置。
【請求項５】
前記受け部は、前記脚部の上端に上向きに突設されると共にその側面にて前記被係合面が形成されており、
前記天板または支持部材に設けられ、前記天板が使用位置にあるときに前記受け部の後方に配置され、前記天板が収納位置にあるときに前記受け部の上方に配置される壁部を備えたことを特徴とする請求項１〜請求項４の何れかに記載のロック装置。
【発明の詳細な説明】
【技術分野】
【０００１】
本発明は、天板が略水平な使用位置と、略鉛直な収納位置との間で回動可能に構成されたテーブルにおいて、天板を固定するためのロック装置に関するものである。
【背景技術】
【０００２】
従来より、天板及び脚部からなり、天板が、水平な使用位置と略鉛直な収納位置との間で、左右方向を軸として回動可能に脚部に支持されたテーブルが知られており、このようなテーブルとして、天板を使用位置または収納位置に固定するためのロック装置が設けられたものが提案されている。
【０００３】
そして、このようなロック装置としては、例えば、天板に回動可能に設けられたロック部材と、脚部に設けられロック部材が係合する係合面を有する受け部と、ロック部材を受け部に係合する方向に付勢する付勢要素と、付勢要素の付勢力に抗してロック部材を受け部から離れる方向に操作する操作レバーと、からなり、ロック部材が係合方向に回動するのに伴い、ロック部材の係合面に対する圧接度合いが漸次高まる方向に係合面が傾斜するように受け部が形成されたものが提案されている（例えば、特許文献１等参照）。
【特許文献１】特許第２７３４９７０号公報
【発明の開示】
【発明が解決しようとする課題】
【０００４】
しかしながら、上記提案のロック装置においては、係合面が上記のように傾斜されているので、ロック部材と受け部との係合が強固になるものの、ロック部材は、係合面に食い込んだ状態で、常時付勢要素により係合方向に付勢されているために、係合面に摩耗が発生し易かった。
【０００５】
そして、係合面における摩耗の発生に伴い、ロック部材がより強固に食い込んでロック部材と受け部との係合を解除しにくい方向へ係合位置がずれるため、係合位置を所定の位置に調整するための調整機構を設けているが、係合を解除し易くするためには、摩耗の状態に応じて適宜調整機構による調整を行わなければならず、面倒であった。
【０００６】
本発明はかかる課題に鑑みなされたもので、ロック部材と、受け部とを係合させて、天板を所定位置に固定するロック装置において、受け部の摩耗に関わらず、天板を所定位置に確実に固定すると共に、ロック部材と受け部との係合を容易に解除できるようにすることを目的とする。
【課題を解決するための手段】
【０００７】
かかる目的を達成するためになされた請求項１に記載の発明は、
天板と、
該天板の下方に固定された支持部材を介して、該天板を水平な使用位置と略鉛直な収納位置との間で水平な軸を中心として回動可能に支持する脚部と、
からなるテーブルにおいて、
前記天板を、前記使用位置または収納位置にて固定するためのロック装置であって、
前記脚部に設けられ、前記天板が前記使用位置または収納位置にあるときに前記天板または支持部材に当接し、該天板を該使用位置または収納位置に位置決めする位置決め手段と、
前記支持部材に前記天板の回動軸と平行な軸を中心として回動可能に設けられ、前記天板が前記位置決め手段にて位置決めされた位置にあるときに、前記脚部の上端に設けられた受け部に係合可能に構成されたロック部材と、
該ロック部材を前記受け部に当接させる方向に付勢して、前記ロック部材と受け部とを係合させる付勢部材と、
前記付勢部材の付勢力に抗して前記ロック部材を回転させ、該ロック部材と受け部との係合を解除するための操作レバーと、
からなり、
前記ロック部材の前記受け部と係合する係合面は円弧状に形成されており、
前記受け部の前記ロック部材の係合面に係合される被係合面は、前記ロック部材が係合位置にあるときの前記円弧状の係合面の中心軸上の１点と、該係合面と、を結ぶ該係合面に対して垂直な線分上を通り、且つ、該係合面の中心軸と平行な軸を中心軸とする円弧状に形成され、
前記係合面は、前記操作レバーによる回転に伴い、該係合面が前記被係合面と離間する方向に移動しつつ回転するように前記ロック部材の回動軸からずれた軸を中心軸として円弧状に形成されたことを特徴とする。
【０００８】
このように本発明のロック装置においては、係合面及び被係合面が円弧状に形成されており、各面の中心軸は、操作レバーによる回転に伴い、係合面が被係合面と離間する方向に移動しつつ回転するように、ロック部材の回動軸からずれた位置に配置されている。
【０００９】
従って、本発明のロック装置によれば、操作レバーを回転させると、係合面は被係合面と離間する方向に移動しつつ回転するので、被係合面と係合面との摩擦等によりロック部材と受け部との係合が解除できないことを防止でき、容易に操作レバーを操作して、ロックを解除することができる。
【００１０】
また、ロック部材は付勢部材により受け部に当接する方向に付勢されており、係合面が被係合面に近づく際も、被係合面から離間する際と同じ軌跡で被係合面に近づくので、受け部に摩耗が発生し被係合面の位置がずれていたとしても、係合面と被係合面とを確実に係合させることができる。よって、受け部の摩耗に関わらず、天板を位置決め手段により位置決めされた位置にて確実にがたつきなく固定することができる。
【００１１】
次に、請求項２に記載の発明は、請求項１に記載のロック装置において、被係合面は、係合面と同径の円弧状に形成されたことを特徴とする。
従って、請求項２に記載のロック装置によれば、係合位置において、ロック部材の係合面と、受け部の被係合面とが面で当接して天板が固定されるので、天板に外力が加えられた場合に、被係合面は係合面により面で圧接される。このため、係合面と被係合面とが係合することにより各面に加わる力が分散され、各面の摩耗を低減することができる。
【００１２】
次に、請求項３に記載の発明は、請求項１または請求項２に記載のロック装置において、受け部には、操作レバーが操作されない状態で天板が回動された際に、ロック部材の一部が当接して摺動可能な当接面が形成されたことを特徴とする。
【００１３】
従って、請求項３に記載のロック装置によれば、使用者により操作レバーが操作されない状態で天板が回動された際に、ロック部材が、付勢部材により受け部の当接面に付勢された状態で当接面上を摺動するので、ロック部材と当接面との間に摩擦抵抗が発生する。このため、この摩擦抵抗により、天板が使用位置または収納位置に回転される際に天板の自重により急激に回転することを防止することができる。
【００１４】
次に、請求項４に記載の発明は、請求項１〜請求項３の何れかに記載のロック装置において、ロック部材には天板が使用位置にあるときに受け部と係合する第１係合面及び天板が収納位置にあるときに受け部と係合する第２係合面の２つの係合面が形成されており、受け部には、ロック部材の第１係合面または第２係合面と夫々係合される第１被係合面及び第２被係合面の２つの被係合面が形成されたことを特徴とする。
【００１５】
従って、請求項４に記載のロック装置によれば、第１係合面と第１被係合面との係合により、天板は使用位置に固定され、第２係合面と第２被係合面との係合により、天板は収納位置に固定されるので、使用位置及び収納位置のいずれの位置においても天板を確実に固定することができる。
【００１６】
ところで、受け部とロック部材とが係合する部分は、安全上外部に露出しないことが好ましい。そこで、通常は、ロック装置全体を覆うカバーを設けて、外部に露出させないようにしているが、全体をカバーで覆うことにより、ロック装置全体が大きくなるという問題があった。
【００１７】
そこで、請求項５に記載の発明は、請求項１〜請求項４の何れかに記載のロック装置において、受け部は、脚部の上端に上向きに突設されると共にその側面にて被係合面が形成されており、天板または支持部材に、天板が使用位置にあるときに受け部の後方に配置され、天板が収納位置にあるときに受け部の上方に配置される壁部を備えたことを特徴としている。
【００１８】
従って、請求項５に記載のロック装置によれば、天板または支持部材に壁部を設けているので、天板が使用位置にあるときは、受け部の後方に配置された壁部により受け部とロック部材とが係合する部分が隠され、天板が収納位置に回転されると、天板の回転に伴い壁部が受け部の上方に移動して、この壁部により受け部とロック部材とが係合する部分が隠される。このため、ロック装置全体をカバーで覆うことなく簡単な構成で、受け部とロック部材とが係合する部分が外部に露出しないようにすることができる。
【発明を実施するための最良の形態】
【００１９】
以下に本発明の実施形態を図面と共に説明する。
［第１実施形態］
図１は、第１実施形態の移動机１の外観を表す斜視図、図２（ａ）は、天板２が使用位置にあるときの移動机１の側面図、図２（ｂ）は、天板２が収納位置にあるときの移動机１の側面図、図３は、移動机１の構成を示す分解斜視図である。
【００２０】
本実施形態の移動机１は、天板２が水平な使用位置にある場合に床面に対して固定され、天板２が略垂直な収納位置にある場合に床面上を移動可能に構成されたものであり、図１〜図３に示すように、長方形の板材からなる天板２と、天板２の長手方向の両端の下方に設けられ、天板支持部３０を介して天板２を使用位置と収納位置との間で回動可能に支持すると共に、下方にキャスタ部を備えた一対の脚部４と、を備えている。また、天板２の下方には、天板２を使用位置または収納位置で固定するためのロック装置６０が左右両側に設けられている。
【００２１】
なお、以下、天板２の長手方向を移動机１の左右方向、この方向に直交する方向を前後方向とし、椅子を配置する側を移動机１の後方（図２の右方）、反対側を移動机１の前方として説明する。
【００２２】
脚部４は、断面長方形の管状の長尺部材からなり、上端をやや後方に傾けて上下方向に配置された脚柱６と、脚柱６の下端に取り付けられたキャスタ部１０ａと、脚柱６の中央部からやや下がった位置に固定されており、前後方向に配置された脚座８と、脚座８の脚柱６へ固定された端部とは反対側の端部に取り付けられ、キャスタ本体及び高さ方向を調整するためのアジャスタからなるアジャスタ付キャスタ部１０ｂと、から構成されている。また、各脚柱６の上方には、各脚柱６同士を連結する框パイプ１４が設けられており、この框パイプ１４は、両端に垂直に溶接された框プレート１６を介して、脚柱６の内側に結合されている。
【００２３】
ここで、框プレート１６は、図３に示すように、一面に框パイプ１４が溶接され、反対側の面で脚柱６の内側の板部に当接して結合される板状の框パイプ取付部と、この框パイプ取付部から上方に延出されて、断面がコの字状となるように上方が開口された軸受け部と、を備えた金属部材である。そして、軸受け部は、コの字を形成する平行な一対の板部のうち、外側に配置される第１板部１６ａと、内側に配置される第２板部１６ｂと、各板部に直交し、各板部を繋ぐ底板部１６ｃと、からなり、この軸受け部にて、天板支持部３０が支持される。なお、框プレート１６は、軸受け部の底板部１６ｃが、脚柱６の長手方向と直交する面に平行となるように、脚柱６の内側の板部にボルト１８にて結合されている。
【００２４】
また、脚柱６の内部には、天板２が使用位置にあるときにキャスタ部１０ａの下方にストッパ１２を突出させて床面に当接させ、天板２が収納位置にあるときにはこのストッパ１２を床面から離間させるための図示しない制動機構が設けられている。そして、この制動機構は、後述するカム軸４８に連結されて天板２の回動に連動するようにされており、天板２が使用位置にあるときに、ストッパ１２により移動机１の移動が阻止されるように構成されている。
【００２５】
天板支持部３０は、大きく分けて、天板２の下面に固定された天板連結部と、天板連結部に結合されると共に、脚柱６に固定された框プレート１６の軸受け部に挿通されて、左右方向の水平軸周りに回動可能に脚柱６に支持される軸部と、からなり、天板２の回動に伴い回動するように構成されている。
【００２６】
天板連結部は、天板２の下方に左右方向に渡された２本の金属製の角パイプ３２と、この角パイプの端部に設けられた天板受金具３４と、天板受金具を覆うためのカバー３６と、を備えている。
【００２７】
天板受金具３４は、金属の板材が直角に折り曲げられて形成されており、一方の平面部である第１平面部が移動机１の前後方向に、且つ、天板２に垂直に配置されるように、他方の第２平面部にて天板２の下面側にねじ固定されている。
【００２８】
第１平面部は、天板２に沿って長尺状に形成されており、中央付近が台形状に一部突出されている。そして、天板２が水平に配置されたときに、台形に突出された部分の下端側の下端面３４ｃが、脚柱６の長手方向と直交する角度、つまり、軸受け部の底板部１６ｃと平行となるように形成されており、前方側の前端面３４ｄは、天板２と垂直に形成されている。
【００２９】
また、第１平面部の台形に突出された部分には軸部の一部が係止される小判状の係止孔３４ａが形成されており、この係止孔３４ａより天板２側で、且つ、天板２の前端側には、ロック装置６０を連結するための挿通孔３４ｂが形成されている。さらに、挿通孔３４ｂより天板２側で、且つ、第１平面部と第２平面部とをつなぐ角部にも、ロック装置６０の一部が挿通される挿通孔３４ｅが形成されている。そして、この第１平面部の内側には、２本の角パイプ３２の端部が夫々溶接されており、左右の天板受金具３４が連結されている。
【００３０】
カバー３６は、合成樹脂により天板受金具３４の第１平面部の外側の面と側面とを被覆可能な形状に成型されており、天板受金具３４に取り付けられている。なお、係止孔３４ａ、挿通孔３４ｂ、３４ｅと重なる部分は、各孔が露出されるように切り欠かれている。
【００３１】
一方、軸部は、図３に示すように、主に、段付回転軸３８、回転軸固定ねじ４０、皿ばね４４、皿ばね固定部材４６、カム軸４８、カム軸固定ねじ５０等から構成されている。
そして、框プレート１６の上方に延出された軸受け部の第１板部１６ａには、段付回転軸３８の小判状に形成された小判軸部が摺動しつつ回動可能な真円形の挿通孔１６ｄが形成されており、この第１板部１６ａの外側から段付回転軸３８の小判軸部がワッシャ４２を介して挿通される。一方、第１板部１６ａの内側において、小判軸部には、まずワッシャ４２が挿通されて、次に、天板受金具３４に形成された小判状の係止孔３４ａが係合され、さらに、２枚の皿ばね４４が収納された皿ばね固定部材４６が挿通される。そして、段付回転軸３８の小判軸部の端部に形成されたねじ孔に回転軸固定ねじ４０を螺合させることにより、段付回転軸３８が第１板部１６ａに対して回動可能に連結される。そして、段付回転軸３８には、天板受金具３４が係合されているので、段付回転軸３８の回動に伴い、天板受金具３４を介して天板２が一体に回動される。
【００３２】
このとき、天板受金具３４及び第１板部１６ａの内側から取り付けられた各部品は、軸受け部の第１板部１６ａと、第２板部１６ｂとの間に配置されている。そして、天板受金具３４の下端面３４ｃが、底板部１６ｃに当接されることにより、天板２が略水平な使用位置に位置決めされ、天板受金具３４の前端面３４ｄが、底板部１６ｃに当接されることにより、天板２が略垂直な収納位置に位置決めされる。また、カバー３６において、第１平面部を覆う面には、係止孔３４ａより天板２の後端側に、第１板部１６ａの後方の側面に沿う形状の壁部３６ａが突出されており、この壁部３６ａは、天板２が使用位置にあるときに第１板部１６ａの後方に配置されている。
【００３３】
一方、段付回転軸３８の円柱部の端部に形成された小判状の係止孔３８ａには、脚部６内で制動機構と連結されるカム軸４８が嵌合されている。そして、脚柱６の上方には、カム軸４８が内側から外側へ貫通可能に挿通孔６ａが形成されており、カム軸４８が脚柱６の内部を貫通するように配置される。なお、カム軸４８の円柱状の端部は、脚柱６の外側の挿通孔６ａに挿通され、脚柱６の外側から、ねじ頭がこの挿通孔６ａよりも大きい径に形成されたカム軸固定ねじ５０が螺合されることにより、脚柱６に回動可能に支持される。
【００３４】
次に、本発明が適用されたロック装置６０の構成について説明する。図４（ａ）は、天板２が使用位置にあるときのロック装置６０の構成を示す側面図、図４（ｂ）は、天板２が収納位置にあるときのロック装置６０の構成を示す側面図である。ただし、各図は説明のために一部透視されている。
【００３５】
ロック装置６０は、天板２の下方に配置される操作用の操作レバー６２と、操作レバー６２にねじ６６により固定されて、操作レバー６２と共に回動するロック部材６４と、ロック部材６４を框プレート１６の第１板部１６ａの側面に当接する方向に付勢するコイルばね６８と、第１板部１６ａの上端に上向きに突設され、ロック部材６４が係合される受け部７０と、から構成されている。
【００３６】
ロック部材６４は、長円形の長尺状に形成された板状のロック本体６４ａと、ロック本体の端部から垂設された棒状の連結部６４ｂと、からなり、ロック本体６４ａの平行な一対の側面のうちの一方には、連結部６４ｂの近傍に受け部７０に係合する係合部８０が突出されている。また、他の側面には、コイルばね６８の一端が係合する窪み６４ｃが形成されている。
【００３７】
そして、ロック部材６４は、コイルばね６８が連結部６４ｂに挿通された状態で、コイルばね６８を介して天板受金具３４に形成された挿通孔３４ｂに外側から挿通され、天板２の下方で左右方向に渡された連動パイプ６７の一端にねじ６９にて固定されている。また、この連動パイプ６７の他端側には、反対側の天板受金具３４から内側に突出されたロック部材６４の連結部６４ｂが固定されており、左右両側のロック部材６４は、連結部６４ｂを中心に連動して回動するように天板受金具３４に支持されている。
【００３８】
ここで、各連結部６４ｂに挿通されたコイルばね６８は、接線方向に延出された端部が、天板受金具３４の挿通孔３４ｅに挿通されると共に、フック状に形成された反対側の端部がロック本体６４ａの側面に形成された窪み６４ｃに係合されているので、ロック部材６４は、このコイルばね６８により常時受け部７０側に付勢されている。そして、軸受け部の第１板部１６ａとロック部材６４（つまり、受け部７０と係合部８０）とは、天板２に垂直な同一平面上に配置されているので、操作レバー６２が操作されない状態で、係合部８０は、常時受け部７０に当接されている。なお、以下、ロック部材６４の回動中心をＡ軸として説明する。
【００３９】
そして、天板２が使用位置にある場合には、図４（ａ）に示すように、受け部７０の後方側の側面である第１被係合面７０ａの一部と、係合部８０のＡ軸側の側面である第１係合面８０ａの一部とが係合して天板２の回転が阻止され、天板２が収納位置にある場合には、図４（ｂ）に示すように、受け部７０の前方側の側面である第２被係合面７０ｂの一部と、係合部８０のＡ軸とは反対側の側面である第２係合面８０ｂの一部とが係合して、天板２の回転が阻止される。
【００４０】
ここで、第１被係合面７０ａ及び第１係合面８０ａは、図５（ａ）に示すように、天板２が使用位置に位置決めされ、ロック部材６４が、受け部７０と係合部８０とが係合する係合位置にあるときに、第１被係合面７０ａと、第１係合面８０ａとが面にて合致するように、Ａ軸からやや下方に配置され、且つ、Ａ軸と平行なＢ軸を中心とした同径の円弧状に形成されている。
【００４１】
一方、第２被係合面７０ｂ及び第２係合面８０ｂは、図５（ｂ）に示すように、天板２が収納位置に位置決めされ、ロック部材６４が、受け部７０と係合部８０とが係合する係合位置にあるときに、第２被係合面７０ｂと、第２係合面８０ｂとが面にて合致するように、Ａ軸から前方斜め上方に配置され、且つ、Ａ軸と平行なＣ軸を中心とした同径の円弧状に形成されている。なお、図５は、受け部７０及び係合部８０の詳細形状を示す側面図であり、図５（ａ）は、天板２が使用位置にあるとき、図５（ｂ）は、天板２が収納位置にあるときの図である。
【００４２】
そして、天板２を使用位置から収納位置へ回転させる際には、操作レバー６２を天板２側に回転させることにより、図５（ａ）、図６（ａ）に示すように、ロック部材６４が係合位置から解除位置に回転し、第１係合面８０ａが、第１被係合面７０ａから離間する方向に移動しつつ回転される。つまり、Ｂ軸はＡ軸の下方にあるため、ロック部材６４がＡ軸を中心に時計と反対回りに回転されるのに伴い、第１係合面８０ａの中心軸は仮想的にＢ軸よりも第１被係合面７０ａに近いＢ’軸に移動するので、第１係合面８０ａは、第１被係合面７０ａから離間する方向に移動しつつ回転され、第１被係合面７０ａと第１係合面８０ａとの係合が解除される。
【００４３】
このように第１被係合面７０ａと、第１係合面８０ａとが解除された状態で、天板２を上方へ押し上げることにより、天板２が上方に回転される。なお、天板２の回転途中で操作レバー６２から手が離されると、ロック部材６４はコイルばね６６により受け部７０に当接する方向に付勢され、図６（ｂ）に示すように、係合部８０の端面８０ｃの一部が、受け部７０の上端面７０ｃに当接し、天板２の回転に伴い端面８０ｃの一部が上端面７０ｃ上に摺動される。そして、天板２がさらに回転されると、天板受金具３４の前端面３４ｄが、框プレート１６の底板部１６ｃに当接して、天板２が収納位置に位置決めされると共に、係合部８０が受け部７０の前方に移動して、図５（ｂ）、図６（ｃ）に示すように、第２被係合面７０ｂの一部と、第２係合面８０ｂの一部とが係合される。なお、カバー３６に設けられた壁部３６ａは、天板２の回転に伴い第１板部１６ａの上方に移動されており、収納位置において、壁部３６ａは、受け部７０の上方に配置される。
【００４４】
一方、天板２を収納位置から使用位置へ回転させる際には、操作レバー６２を天板２側に回転させることにより、図５（ｂ）、図６（ｃ）に示すように、ロック部材６４が係合位置から解除位置に回転し、第２係合面８０ｂが、第２被係合面７０ｂから離間する方向に移動しつつ回転される。つまり、Ｃ軸はＡ軸の前方斜め上方にあるため、ロック部材６４がＡ軸を中心に時計と反対回りに回転されるのに伴い第２係合面８０ｂの中心軸は仮想的にＣ軸よりも第２被係合面７０ｂから離れたＣ’軸に移動するので、第２係合面８０ｂは、第２被係合面７０ｂから離間する方向に移動しつつ回転され、第２被係合面７０ｂと第２係合面８０ｂとの係合が解除される。
【００４５】
このように第２被係合面７０ｂと第２係合面８０ｂとが解除された状態で、天板２を下方へ押し下げることにより、天板２が下方に回転される。なお、このときも使用位置から収納位置に回転されるときと同様に、天板２の回転途中で操作レバー６２から手が離されると、天板２の回転に伴い端面８０ｃの一部が上端面７０ｃ上に摺動される。そして、天板２がさらに回転されると、天板受金具３４の下端面３４ｃが、框プレート１６の底板部１６ｃに当接して、天板２が使用位置に位置決めされると共に、係合部８０が受け部７０の後方に移動して、図５（ａ）、図６（ａ）に示すように、第１被係合面７０ａの一部と第１係合面８０ａの一部とが係合される。
【００４６】
なお、図６は、受け部７０と係合部８０との係合状態を示す側面図であり、図６（ａ）は、天板２が使用位置にあるとき、図６（ｂ）は、天板２使用位置と収納位置との途中にあるとき、図６（ｃ）は、天板２が収納位置にあるときの図である。
【００４７】
以上、説明したように本実施形態のロック装置６０においては、第１被係合面７０ａ、第１係合面８０ａ、第２被係合面７０ｂ、第２係合面８０ｂが円弧状に形成されており、各面の中心軸（Ｂ軸またはＣ軸）は、操作レバー６２による回転に伴い、各係合面が各被係合面と夫々離間する方向に移動しつつ回転するように、ロック部材６４の回動軸（Ａ軸）からずれた位置に配置されている。
【００４８】
従って、本実施形態のロック装置６０によれば、天板２が使用位置にあるときに操作レバー６２を回転させると、第１係合面８０ａは第１被係合面７０ａと離間する方向に移動しつつ回転し、天板２が収納位置にあるときに第２係合面８０ｂは第２被係合面７０ｂと離間する方向に移動しつつ回転するので、各被係合面と各係合面との摩擦等によりロック部材６４の係合部８０と受け部７０との係合が解除できないことを防止でき、容易に操作レバー６２を操作して、ロックを解除することができる。
【００４９】
また、ロック部材６４はコイルばね６８により受け部７０に当接する方向に付勢されており、各係合面が各被係合面に近づく際も、操作レバー６２が操作された際に各被係合面から離間する場合と同じ軌跡で被係合面に近づくので、受け部７０に摩耗が発生して被係合面の位置がずれていたとしても、各係合面と各被係合面とを確実に係合させることができる。よって、受け部７０の摩耗に関わらず天板２を使用位置または収納位置にて、確実にがたつきなく固定することができる。
【００５０】
また、第１被係合面７０ａは、第１係合面８０ａと同径の円弧状に形成されており、第２被係合面７０ｂは、第２係合面８０ｂと同径の円弧状に形成されているので、係合位置において、係合部８０の各係合面と、受け部７０の各被係合面とが面で当接して天板２が固定されるので、天板２に外力が加えられた場合に、各被係合面は各係合面により面で圧接される。このため、各係合面と各被係合面とが係合することにより各面に加わる力が分散され、各面の摩耗を低減することができる。
【００５１】
一方、本実施形態のロック装置６０によれば、使用者により操作レバー６２が操作されない状態で天板２が回動された際に、ロック部材６４の係合部８０の端面８０ｃが、コイルばね６８により受け部７０の上端面７０ｃに付勢された状態で上端面７０ｃ上を摺動するので、係合部８０と上端面７０ｃとの間に摩擦抵抗が発生する。このため、この摩擦抵抗により、天板２が使用位置または収納位置に回転される際に天板２の自重により急激に回転することを防止することができる。
【００５２】
また、本実施形態のロック装置６０においては、操作レバー６２及びロック部材６４が、天板受金具３４の外側に設けられており、受け部７０と係合部８０の係合部分、つまり、薄板状に形成されたロック部材６４と第１板部１６ａが、脚柱６と天板受金具３４との間に挟まれている。つまり、脚柱６の内側の板部をロック装置６０の一部として使用しているので、ロック装置６０を少ない部品で構成することができる。さらに、ロック部材６４の回動軸（Ａ軸）を、天板の回動軸の上方の近傍に配置することで、第１板部１６ａを、天板受金具３４を支持する部材、及び、ロック部材６４の係合部材として共用できるように構成しているので、ロック装置６０を非常にコンパクトに構成することができる。
【００５３】
そして、天板受金具３４を覆うカバー３６の外側に、壁部３６ａが突設されているので、天板２が使用位置にあるときは、第１板部１６ａの後方に配置された壁部３６ａにより受け部７０と係合部８０とが係合する部分が隠され、天板２が収納位置に回転されると、天板２の回転に伴い壁部３６ａが受け部７０の上方に移動して、この壁部３６ａにより受け部７０と係合部８０とが係合する部分が隠される。このため、ロック装置全体をカバーで覆うことなく簡単な構成で、受け部７０と係合部８０とが係合する部分が外部に露出しないようにすることができる。
【００５４】
また、同じ径の円弧状に形成された各被係合面と各係合面とは、使用位置または収納位置において夫々一部が係合されており、係合部８０の上端面８０ｃと受け部７０との間には隙間が設けられている。そして、各係合面が被係合面に近づく際は、操作レバー６２が操作された際に被係合面から離間する場合と同じ軌跡で被係合面に近づくので、例えば、組立時の係合部８０と受け部７０の位置関係が設計値からわずかにずれたとしても、各被係合面と各係合面との当接部分は設計値からずれるものの、各被係合面と各係合面とが、異なる部分で当接され、係合部８０と受け部７０とは確実に係合される。つまり、本実施形態のロック装置６０によれば、ロック装置６０の部品加工、組立等の製造誤差を許容することができ、逆に製造精度を緩和することができる。
【００５５】
なお、このロック装置６０は、連動パイプ６７によりロック部材６４が連動されるように構成されているので、片方の操作レバー６２を操作することにより、両方のロック装置６０の受け部７０と係合部８０との係合を解除することができる。
【００５６】
本実施形態においては、移動机１が本発明のテーブルに相当し、天板支持部３０が本発明の支持部材に相当し、框プレート１６の底板部１６ｃが本発明の位置決め手段に相当し、コイルばね６８が本発明の付勢部材に相当し、上端面７０ｃが本発明の当接面に相当する。
［第２実施形態］
第１実施形態のロック装置６０は、天板２が使用位置にあるときのロック部材６４の回動軸（Ａ軸）が、天板２の回動軸よりも前方に配置されるようにしたが、他の例として、天板２が使用位置にあるときのロック部材の回動軸が、天板２の回動軸よりも後方に配置される例を、第２実施形態として説明する。第２実施形態の移動机１は、ロック装置を除く部分は、上記第１実施形態と同様に構成されている。このため、第１実施形態と同様の箇所については同様の符号を付して説明を省略し、異なる箇所についてのみ説明する。
【００５７】
図７は、第１板部９０の受け部９２と、ロック部材９４の係合部９６との係合状態を示す側面図であり、図７（ａ）は、天板２が使用位置にあるとき、図７（ｂ）は、天板２使用位置と収納位置との途中にあるとき、図７（ｃ）は、天板２が収納位置にあるときの図である。
【００５８】
ロック装置は、天板２の下方に配置される操作用の操作レバー（図示なし）と、操作レバーにねじにより固定されて、操作レバーと共に回動するロック部材９４と、ロック部材９４を框プレート１６の第１板部９０の側面に当接する方向に付勢するコイルばね（図示なし）と、第１板部９０の上端に後向きに突設され、ロック部材９４が係合される受け部９２と、から構成されている。
【００５９】
天板受金具３４には、ロック部材９４の支持部として、天板２が使用位置にあるときに天板２の回動軸よりも後方に配置される挿通孔が形成されている。
ロック部材９４は、Ｌ字状に形成された板状のロック本体と、ロック本体のＬ字状の角部から垂設された棒状の連結部（図示なし）と、からなり、連結部が、天板受金具３４に形成された挿通孔に挿通されて、天板受金具３４に連結部を中心に回動可能に支持されている。また、Ｌ字状のロック本体の天板２の後端側に配置される辺には操作レバーが固定され、他の辺の端部には、操作レバーが固定された側の辺の延出方向と反対側に向けて受け部９２に係合する係合部９６が突設されている。
【００６０】
そして、軸受け部の第１板部９０とロック部材９４（つまり、受け部９２と係合部９６）とは、天板２に垂直な同一平面上に配置されているので、操作レバーが操作されない状態で、係合部９６は、常時受け部９２に当接されている。なお、以下、ロック部材９４の回動中心をＦ軸として説明する。
【００６１】
そして、天板２が使用位置にある場合には、図７（ａ）に示すように、受け部９２の下方側の面である第１被係合面９２ａの一部と、係合部９６のＦ軸側の面である第１係合面９６ａの一部とが係合して天板２の回転が阻止され、天板２が収納位置にある場合には、図７（ｃ）に示すように、受け部９２の前方側の面である第２被係合面９２ｂの一部と、係合部９６のＦ軸とは反対側の面である第２係合面９６ｂの一部とが係合して、天板２の回転が阻止される。
【００６２】
ここで、第１被係合面９２ａ及び第１係合面９６ａは、図７（ａ）に示すように、天板２が使用位置に位置決めされ、ロック部材９４が、受け部９２と係合部９６とが係合する係合位置にあるときに、第１被係合面９２ａと、第１係合面９６ａとが面にて合致するように、Ｆ軸からやや前方に配置され、且つ、Ｆ軸と平行なＧ軸を中心とした同径の円弧状に形成されている。
【００６３】
一方、第２被係合面９２ｂ及び第２係合面９６ｂは、図７（ｃ）に示すように、天板２が収納位置に位置決めされ、ロック部材９４が、受け部９２と係合部９６とが係合する係合位置にあるときに、第２被係合面９２ｂと、第２係合面９６ｂとが面にて合致するように、Ｆ軸よりやや上方に配置され、且つ、Ｆ軸と平行なＨ軸を中心とした同径の円弧状に形成されている。
【００６４】
そして、天板２を使用位置から収納位置へ回転させる際には、操作レバーを天板２側に回転させることにより、図７（ａ）に示すように、ロック部材９４が係合位置から解除位置に回転し、第１係合面９６ａが、第１被係合面９２ａから離間する方向に移動しつつ回転される。つまり、Ｇ軸はＦ軸の前方にあるため、ロック部材９４がＦ軸を中心として時計と反対回りに回転するのに伴い、第１係合面９６ａの中心軸は仮想的にＧ軸よりも第１被係合面９２ａに近いＧ’軸に移動するので、第１係合面９６ａは、第１被係合面９２ａから離間する方向に移動しつつ回転され、第１被係合面９２ａと第１係合面９６ａとの係合が解除される。
【００６５】
このように第１係合面９６ａと第１被係合面９２ａとが解除された状態で、天板２を上方へ押し上げることにより、天板２が上方に回転される。なお、天板２の回転途中で操作レバーから手が離されると、ロック部材９４はコイルばねにより受け部９２に当接する方向に付勢され、図７（ｂ）に示すように、係合部９６の端面９６ｃの一部が、受け部９２の上端面９２ｃに当接し、天板２の回転に伴い端面９６ｃの一部が上端面９２ｃ上に摺動される。そして、天板２がさらに回転されると、天板受金具３４の前端面３４ｄが、框プレート１６の底板部１６ｃに当接して、天板２が収納位置に位置決めされると共に、係合部９６が受け部９２の前方に移動して、図７（ｃ）に示すように、第２係合面９６ｂの一部と第２被係合面９２ｂの一部とが係合される。
【００６６】
一方、収納位置から使用位置へ天板２を回転させる際には、操作レバーを天板２側に回転させることにより、図７（ｃ）に示すように、ロック部材９４が係合位置から解除位置に回転し、第２係合面９６ｂが、第２被係合面９２ｂから離間する方向に移動しつつ回転される。つまり、Ｈ軸はＦ軸の上方にあるため、ロック部材９４がＦ軸を中心に時計と反対回りに回転されるのに伴い第２係合面９６ｂの中心軸は仮想的にＨ軸よりも第２被係合面９２ｂから離れたＨ’軸に移動するので、第２係合面９６ｂは、第２被係合面９２ｂから離間する方向に移動しつつ回転され、第２被係合面９２ｂと第２係合面９６ｂとの係合が解除される。
【００６７】
このように第２係合面９６ｂと第２被係合面９２ｂとが解除された状態で、天板２を下方へ押し下げることにより、天板２が下方に回転される。なお、このときも使用位置から収納位置に回転されるときと同様に、天板２の回転途中で操作レバーから手が離されると、天板２の回転に伴い端面９６ｃの一部が上端面９２ｃ上に摺動される。そして、天板２がさらに回転されると、天板受金具３４の下端面３４ｃが、框プレート１６の底板部１６ｃに当接して、天板２が使用位置に位置決めされると共に、係合部９６が受け部９２の下方に移動して、図７（ａ）に示すように、第１被係合面９２ａの一部と第１係合面９６ａの一部とが係合される。
【００６８】
そして、このように構成された第２実施形態のロック装置によれば、第１実施形態のロック装置と同様の効果を得ることができる。ただし、第２実施形態のロック装置においては、天板２が収納位置にあるときに受け部９２と係合部９６とが係合される部分が外部に露出されてしまうので、別途カバー等にて覆う必要がある。
【００６９】
なお、本実施形態においては、上端面９２ｃが本発明の当接面に相当する。
以上、本発明の一実施形態について説明したが、本発明は、種々の形態を採り得ることは言うまでもない。
【００７０】
例えば、上記各実施形態では、係合面及び被係合面を同じ径の円弧状に形成したが、被係合面の径は、係合面の径よりも小さくしてもよい。つまり、例えば、第１実施形態において、第１被係合面７０ａを、Ｂ軸と第１係合面８０ａとを結ぶ線分上（図５（ａ）中の矢印Ｘ上）を通る軸を中心軸として、第１係合面する円弧状に形成してもよい。
【図面の簡単な説明】
【００７１】
【図１】第１実施形態の移動机１の外観を示す斜視図である。
【図２】第１実施形態の移動机１の外観を示す側面図である。
【図３】第１実施形態の移動机１の構成を示す分解斜視図である。
【図４】第１実施形態のロック装置６０の構成を示す側面図である。
【図５】第１実施形態の受け部７０及び係合部８０の詳細形状を示す側面図である。
【図６】第１実施形態の受け部７０と係合部８０との係合状態を示す側面図である。
【図７】第２実施形態の受け部９２と係合部９６との係合状態を示す側面図である
【符号の説明】
【００７２】
１…移動机、２…天板、４…脚部、６…脚柱、８…脚座、１０ａ…キャスタ部、１０ｂ…アジャスタ付キャスタ部、１２…ストッパ、１４…框パイプ、１６…框プレート、１６ａ…第１板部、１６ｂ…第２板部、１６ｃ…底板部、１６ｄ…挿通孔、１８…ボルト、３０…天板支持部、３２…角パイプ、３４…天板受金具、３４ａ…係止孔、３４ｂ…挿通孔、３４ｃ…下端面、３４ｄ…前端面、３４ｅ…挿通孔、３６…カバー、３６ａ…壁部、６０…ロック装置、６２…操作レバー、６４…ロック部材、６４ａ…ロック本体、６４ｂ…連結部、６４ｃ…窪み、６６…ねじ、６７…連動パイプ、６８…コイルばね、７０…受け部、７０ａ…第１被係合面、７０ｂ…第２被係合面、７０ｃ…上端面、８０…係合部、８０ａ…第１係合面、８０ｂ…第２係合面、８０ｃ…端面、９０…第１板部、９２…受け部、９２ａ…第１被係合面、９２ｂ…第２被係合面、９２ｃ…上端面、９４…ロック部材、９６…係合部、９６ａ…第１係合面、９６ｂ…第２係合面、９６ｃ…端面
【図１】
0004773267.tif 000002
【図２】
0004773267.tif 000003
【図３】
0004773267.tif 000004
【図４】
0004773267.tif 000005
【図５】
0004773267.tif 000006
【図６】
0004773267.tif 000007
【図７】
0004773267.tif 000008